(57)【要約】【課題】医療用チューブを安定して固定でき、作業者の取り扱いを向上させて容易に着脱を行うことができる医療用チューブの固定クリップを提供する。【解決手段】医療用チューブの固定クリップは、チューブ固定部の両端部を近接させ、両保持アーム部の基端部を交差させるとともに、両挟持部を相互に乗り越えさせた状態のときに、チューブ固定部の弾性復元力によりチューブ固定部の両端部が互いに離間する方向に付勢され、両挟持部が互いに当接させられることにより、チューブ固定部が環状に形成されるとともに、両フック部の内側円弧面が互いに内向きに配置され、両フック部が幅方向に並んで配置されることにより環状に組み合わされた円環部が形成され、両保持アーム部基端部を交差させずにチューブ固定部の両端部を離間させた状態のときに、両フック部の内側円弧面が互いに外向きに配置される。【選択図】      図１
2018047126.tif 000002
【特許請求の範囲】
【請求項１】
弾性材により形成され帯状部材が円弧状に湾曲形成されたチューブ固定部と、
前記チューブ固定部の両端から延在する一対の保持アーム部とを備え、
両保持アーム部は、基端側に形成されたフック部と、先端側に形成された挟持部とを有し、
両フック部は、前記チューブ固定部とは逆向きに反って円弧状に湾曲した形状とされるとともに、各フック部は互いに離れて前記チューブ固定部の幅方向にずれて形成されており、
両挟持部は、前記フック部よりも幅広の形状に形成されるとともに、前記チューブ固定部の両端部を近接させたときに、各挟持部の少なくとも一部が前記チューブ固定部の幅方向に重なり合う形状に形成されており、
前記チューブ固定部の両端部を近接させ、両保持アーム部の基端部を交差させるとともに、両挟持部を相互に乗り越えさせた状態のときに、
前記チューブ固定部の弾性復元力により前記チューブ固定部の両端部が互いに離間する方向に付勢され、両挟持部が互いに当接させられることにより、前記チューブ固定部が環状に形成されるとともに、
両フック部の内側円弧面が互いに内向きに配置され、両フック部が前記幅方向に並んで配置されることにより、両フック部が環状に組み合わされた円環部が形成され、
両保持アーム部の基端部を交差させずに、前記チューブ固定部の両端部を離間させた状態のときに、両フック部の前記内側円弧面が互いに外向きに配置されることを特徴とする医療用チューブの固定クリップ。
【請求項２】
両保持アーム部の基端部を交差させずに、両挟持部を離間させた状態のときに、
両フック部の間が離間して配置されるとともに、両フック部の内側円弧面が互いに外向きに配置され、前記チューブ固定部の内側空間が開放されていることを特徴とする請求項１に記載の医療用チューブの固定クリップ。
【請求項３】
前記フック部と前記チューブ固定部との接続部に、前記フック部の円弧形状を該円弧の長さ方向に延長して該フック部に連続した補助フック部が形成されていることを特徴とする請求項１又は２に記載の医療用チューブの固定クリップ。
【請求項４】
前記チューブ固定部の長さ方向の中央部に、その内周面から突出し、幅方向に延在する突起部が形成されていることを特徴とする請求項１から３のいずれか一項に記載の医療用チューブの固定クリップ。
【請求項５】
前記フック部の外周面から突出し、長さ方向に延在するリブ部が形成されていることを特徴とする請求項１から４のいずれか一項に記載の医療用チューブの固定クリップ。
【請求項６】
前記リブ部は、前記チューブ固定部の両端部を近接させ、両フック部を前記幅方向に並べて配置させたときに、それぞれ両フック部の前記幅方向に対向する側面に連続して形成されていることを特徴とする請求項５に記載の医療用チューブの固定クリップ。
【発明の詳細な説明】
【技術分野】
【０００１】
本発明は、医療用チューブを固定するための固定クリップに関する。
【背景技術】
【０００２】
医療行為において、患者に酸素等の呼吸用気体を供給する際に用いる送気チューブ、患者への薬液の投与や輸血に用いる輸液チューブ等の各種の医療用チューブが使用される。これらの医療用チューブについては、呼吸用気体や薬液等を患者に安定して供給するため、医療用チューブが不用意に外れることがないように、患者の衣服やシーツ、支柱等に固定可能な固定クリップを用いて、医療用チューブを固定することが行われている。
【０００３】
例えば、特許文献１には、医療用チューブ（医療用接続チューブ）を挿通して保持する嵌合部材と、被挟着物を挟着する挟着部材と、を備える固定クリップが記載されている。この固定クリップの嵌合部材は、挟着部材に延設され、医療用チューブを挿通させる円形挿通孔を有している。また、挟着部材は可撓性を備え、上押縁と下ホルダとを有する第１の押え部材と、下押縁と上ホルダとを有する第２の押え部材とを有しており、第１の押え部材と第２の押え部材とを交差させて、上ホルダと下ホルダとを対向状に配置した状態で、上押縁と下押縁とに力を加えて内圧空間を小さくすると、上ホルダと下ホルダとが分離されるようになっている。そして、上ホルダと下ホルダとを分離させた状態で、上ホルダと下ホルダとの間に被挟着物を配置し、上押縁と下押縁とに加えた力を低減させると、上ホルダと下ホルダとが復位して、上ホルダと下ホルダとの間に被挟着物を挟着できる。このように、特許文献１に記載の固定クリップは、嵌合部材の挿通孔に医療用チューブを挿通させた状態で、挟着部材により固定クリップを被挟着物に挟着することにより、医療用チューブを容易に固定でき、また、上ホルダと下ホルダとの分離と復位とを繰り返すことにより、固定クリップを介して医療用チューブを任意の位置に固定できる。
【０００４】
また、医療用チューブを固定するための固定クリップではないが、特許文献２には、野菜や花の茎、苗木を支柱に固定するための園芸用クリップが記載されている。この園芸用クリップは、一対の脚部分と、脚部分を互いに連結する略Ｕ形のばね部分と、支柱の直径と実質的に等しいかあるいは僅かに大きい内径を有する一対のフック部分とを備えており、フック部分は、脚部分を互いの方に向かって押し付けたとき、両方のフック部分を交差させることができるように、一方のフック部分が空隙を有し、他方のフック部分がその空隙に挿通可能に形成されている。そして、この園芸用クリップにおいては、脚部分を押し広げることにより、支えようとする茎等をフック部分の間からばね部分の内側に入れることができる。また、脚部分を互いの方に向かって押し付け、フック部分の空隙に他方のフック部分が入るように交差させ、さらに、脚部分を互いの方に向かって押し付けてフック部分の先端部の間を開き、この間の隙間から支柱をフック部分の内側に入れることができる。最後に、脚部分を押し付けている力を緩めると、フック部分がばね部分の弾性力によって互いの方に向かって戻ろうとし、フック部分が支柱を把持することにより、園芸用クリップが支柱に固定され、ばね部分の内側に入れた茎が保持されるようになっている。
【先行技術文献】
【特許文献】
【０００５】
【特許文献１】実用新案登録第３１８５４０９号公報
【特許文献２】特開２０００‐１８８９６４号公報
【発明の概要】
【発明が解決しようとする課題】
【０００６】
しかし、特許文献１の固定クリップを医療用チューブに取り付ける際には、固定クリップの挿通孔に医療用チューブの一端部を通して、医療用チューブの所定位置まで固定クリップを移動させて取り付ける必要があるため、挿通孔と医療用チューブとの係合状態を強固に設定できない。また、特許文献１の固定クリップは、挟着部材の上ホルダと下ホルダとの間に被挟着物を挟着する構成とされていることから、患者の衣服やシーツ等の厚みが比較的薄い被挟着物であれば安定して固定することができるが、医療機器等に備え付けられた支柱等に取り付けようとした場合には安定して固定することが難しい。このように、特許文献１の固定クリップの形状では、固定箇所が制限される。
【０００７】
一方、特許文献２の固定クリップ（園芸用クリップ）のようなフック部分を有する形状を採用した場合には、支柱への固定は行えるが、厚みの薄い被挟着物への固定は不安定になる。また、特許文献２の固定クリップは、両フック部分の間からばね部分の内側に医療用チューブを入れることができるので、医療用チューブの長さ方向の途中位置であっても比較的容易に固定クリップを固定できる。しかし、特許文献２の固定クリップの構造では、支柱等の被挟着物に固定クリップを挟着しなければ、すなわち、両フック部分の間に被挟着物を配置した状態にしなければ、固定クリップを医療用チューブに固定しておくことができない。このため、医療用チューブに予め固定クリップを取り付けておくことができず、作業者は、医療用チューブを固定する際に、医療用チューブと固定クリップとの固定と、固定クリップと被挟着物との固定との、一連の作業をまとめて行う必要があり、作業が煩雑化する。
【０００８】
このように、特許文献１又は特許文献２に記載の固定クリップは、それぞれ固定箇所が限定されており、また特許文献２の固定クリップにおいては、その取り扱いも容易ではなく、作業を煩雑化させるおそれがある。このため、作業者は、医療用チューブを被挟着物に固定するために、固定クリップの他にも、従来から使用している輪ゴムやビニールテープ等を使用する必要があり、依然として作業者に与える負担が大きいものとなっている。
【０００９】
本発明は、このような事情に鑑みてなされたもので、医療用チューブを安定して固定でき、作業者の取り扱いを向上させて容易に着脱を行うことができる医療用チューブの固定クリップを提供することを目的とする。
【課題を解決するための手段】
【００１０】
本発明の医療用チューブの固定クリップは、弾性材により形成され帯状部材が円弧状に湾曲形成されたチューブ固定部と、前記チューブ固定部の両端から延在する一対の保持アーム部とを備え、両保持アーム部は、基端側に形成されたフック部と、先端側に形成された挟持部とを有し、両フック部は、前記チューブ固定部とは逆向きに反って円弧状に湾曲した形状とされるとともに、各フック部は互いに離れて前記チューブ固定部の幅方向にずれて形成されており、両挟持部は、前記フック部よりも幅広の形状に形成されるとともに、前記チューブ固定部の両端部を近接させたときに、各挟持部の少なくとも一部が前記チューブ固定部の幅方向に重なり合う形状に形成されており、前記チューブ固定部の両端部を近接させ、両保持アーム部の基端部を交差させるとともに、両挟持部を相互に乗り越えさせた状態のときに、前記チューブ固定部の弾性復元力により前記チューブ固定部の両端部が互いに離間する方向に付勢され、両挟持部が互いに当接させられることにより、前記チューブ固定部が環状に形成されるとともに、両フック部の内側円弧面が互いに内向きに配置され、両フック部が前記幅方向に並んで配置されることにより、両フック部が環状に組み合わされた円環部が形成され、両保持アーム部の基端部を交差させずに、前記チューブ固定部の両端部を離間させた状態のときに、両フック部の前記内側円弧面が互いに外向きに配置される。
【００１１】
この固定クリップは、両保持アーム部の間を開いた状態では、チューブ固定部の両端部間も大きく開いているので、チューブ固定部の内側空間に医療用チューブを容易に挿通させることができる。そして、チューブ固定部の内側空間に医療用チューブを挿通させた状態で、チューブ固定部の両端部を近接させ、両保持アーム部を交差させ、両挟持部を相互に乗り越えさせることで、チューブ固定部の弾性復元力により両挟持部が互いに当接させられて、チューブ固定部が環状に形成される。これにより、チューブ固定部の両端部を近接させた状態に維持でき、縮径されたチューブ固定部の内側空間に医療用チューブを係合させて、固定クリップを医療用チューブの任意の位置に固定できる。
また、このようにして、チューブ固定部を環状に形成し、固定クリップを医療用チューブに固定した状態においては、チューブ固定部の弾性復元力によりチューブ固定部の両端部が互いに離間する方向に付勢された状態となり、両挟持部が当接し、互いに押圧された状態となる。そして、この状態で、チューブ固定部の両端部を内側に押圧して近接させると、両挟持部を離間させることができ、チューブ固定部の両端部の押圧を解除すると、チューブ固定部の両端部間が弾性復元力により広がり、両挟持部を当接させることができる。このように、本発明の固定クリップにおいては、チューブ固定部の両端部の移動に伴って、両挟持部の間を開閉することとされており、両挟持部の開閉により、両挟持部の間に被挟着物を挟んだり、両挟持部の間から被挟着物を取り外したりと、被挟着物と固定クリップとの着脱を容易に行うことができる。
【００１２】
さらに、固定クリップにはフック部が設けられており、両挟持部を当接させた状態では、、両フック部の内側円弧面が互いに内向きに配置され、両フック部が幅方向に並んで配置されることにより、両フック部が環状に組み合わされた円環部が形成される。これにより、両フック部の内側円弧面に囲まれた内側空間が幅方向に連通させられた状態が維持されるので、両フック部の内側空間に支柱等の被挟着物を容易に挿通させることができる。また、両フック部は、両挟持部と同様に、チューブ固定部の弾性復元力により互いに離間する方向に付勢されているので、両フック部の内側空間に被挟着物を挿通させた際には、両フック部により被挟着物を挟持して固定クリップを固定でき、医療用チューブを安定して固定できる。
【００１３】
このように、本発明の固定クリップは、両保持アーム部の両挟持部の間と、両フック部の間と、の双方において被挟着物を挟持することができるので、患者の衣服やシーツ等の厚みが比較的薄い被挟着物だけでなく、医療機器等に備え付けられた支柱等の被挟着物にも安定して固定できる。このため、固定クリップの固定箇所が限定されず、作業者は固定箇所毎に種類の異なる固定クリップを使い分ける必要がない。また、被挟着物と固定クリップとの固定前に、予め固定クリップを医療用チューブの任意の位置に固定しておくことができるので、固定クリップと医療用チューブとを一体にして取り扱うことができ、作業者は容易に取り付け作業を行うことができる。
【００１４】
本発明の医療用チューブの固定クリップにおいて、両保持アーム部の基端部を交差させずに、両挟持部を離間させた状態のときに、両フック部の間が離間して配置されるとともに、両フック部の内側円弧面が互いに外向きに配置され、前記チューブ固定部の内側空間が開放されているとよい。
【００１５】
この場合、両保持アーム部の間から、チューブ固定部の内側空間に医療用チューブを入れることができるので、医療用チューブの長さ方向の途中位置にも、容易に固定クリップを取り付けることができる。
【００１６】
本発明の医療用チューブの固定クリップにおいて、前記フック部と前記チューブ固定部との接続部に、前記フック部の円弧形状を該円弧の長さ方向に延長して該フック部に連続した補助フック部が形成されているとよい。
【００１７】
チューブ固定部の両端部を近接させ、両挟持部を当接させると、両フック部が幅方向に並んで配置され、環状に組み合わせられる。この際、各フック部に連続する補助フック部を設けておくことで、一方のフック部に他方の補助フック部を幅方向に並べて配置できるとともに、他方のフック部に一方の補助フック部を幅方向に並べて配置できるので、両フック部の内側内周面に囲まれた内側空間に支柱等の被挟着物を挿通した際の、被挟着物と両フック部との係止幅を広く形成できる。したがって、被挟着物に対して固定クリップを安定して固定でき、固定クリップが不用意に回転することを防止できる。
【００１８】
本発明の医療用チューブの固定クリップにおいて、前記チューブ固定部の長さ方向の中央部に、その内周面から突出し、幅方向に延在する突起部が形成されているとよい。
【００１９】
チューブ固定部の両端部を近接させたり離間させたりして弾性変形させ、両アーム保持部を開閉する際に生じる応力は、チューブ固定部の長さ方向の中央部に集中する。そこで、チューブ固定部の長さ方向の中央部に突起部を形成しておくことにより、中央部に作用する応力を、中央部から両端部側に向けて分散させることができる。これにより、チューブ固定部の破損を防止でき、固定クリップを繰り返し、安定して使用できる。
また、医療用チューブが蛇管で構成される場合には、チューブ固定部の内周面に設けた突起部の端面を蛇管表面の凹凸形状に引っ掛けて固定することができるので、医療用チューブの外周面とチューブ固定部の内周面との係合が緩い場合でも、突起部により医療用チューブと固定クリップとの固定位置がずれることを防止でき、医療用チューブを被挟着物の任意の位置に安定して固定できる。
【００２０】
本発明の医療用チューブの固定クリップにおいて、前記フック部の外周面から突出し、長さ方向に延在するリブ部が形成されているとよい。
【００２１】
フック部は、チューブ固定部や挟持部よりも幅が狭く形成されているので、チューブ固定部の両端部を近接させて両挟持部を当接させたときに、フック部の負担が大きく、変形や破損が生じるおそれがある。そこで、フック部にリブ部を設けて、フック部の強度を増加させることにより、フック部の変形や破損を防止できる。また、フック部の変形を防止することにより、固定クリップ全体の変形（ゆがみ）も防止でき、医療用チューブを安定して固定できる。
【００２２】
本発明の医療用チューブの固定クリップにおいて、前記リブ部は、前記チューブ固定部の両端部を近接させ、両フック部を前記幅方向に並べて配置させたときに、それぞれ両フック部の前記幅方向に対向する側面に連続して形成されているとよい。
【００２３】
それぞれのリブ部を、両フック部の幅方向に対向する側面に連続して形成することで、リブ部の厚み（高さ）分だけ両フック部の対向面の面積を広げることができる。これにより、チューブ固定部の両端部を近接させて両保持アーム部を交差させる際に、両保持アーム部が捩じれる方向に力が加わった場合にも、両フック部が互いの対向面やリブ部に接触することで、両フック部を超えて捩じれることが防止され、両保持アーム部の移動を円滑に案内できる。また、両挟持部を当接させ、両フック部により環状の円環部を形成した状態においても、両挟持部の間や両フック部の間を開閉する際に、両フック部が互いの対向面やリブ部に接触することで、捩じれることが防止され、両保持アーム部の移動を円滑に案内できる。
【発明の効果】
【００２４】
本発明によれば、固定クリップの固定箇所が限定されず、一つの固定クリップを汎用的に使用でき、また、医療用チューブと被挟着物との着脱を繰り返し容易に行うことができ、医療用チューブを被挟着物に安定して固定できる。
【図面の簡単な説明】
【００２５】
【図１】本発明の実施形態の医療用チューブの固定クリップを示す斜視図であり、両保持アーム部の基端部を交差させずに、両挟持部を開いた状態を示す図である。
【図２】図１に示す固定クリップの正面図である。
【図３】図１に示す固定クリップの斜視図であり、両保持アーム部の基端部を交差させて、両挟持部を閉じた状態を示す図である。
【図４】図３に示す固定クリップの正面図である。
【図５】図１に示す固定クリップの正面図であり、図３に示す状態からチューブ固定部の両端部を近接させて、両挟持部を開いた状態を示す図である。
【図６】固定クリップと医療用チューブとの取り付け方法を説明する固定クリップと医療用チューブの斜視図である。
【図７】医療用チューブに固定クリップを固定した状態を示す斜視図である。
【図８】医療用チューブに取り付けた固定クリップを布等の比較的薄い被挟着物に固定した状態を説明する斜視図である。
【図９】医療用チューブに取り付けた固定クリップを支柱等の被挟着物に固定した状態を説明する斜視図である。
【図１０】本発明の医療用チューブの固定クリップが備え付けられた加温加湿器の斜視図である。
【発明を実施するための形態】
【００２６】
以下、本発明の医療用チューブの固定クリップの実施形態について、図面を参照して説明する。
図１〜図５に示した本実施形態の医療用チューブの固定クリップ１０１は、例えば、図１０に示すような加温加湿器２０１に備え付けられる。そして、固定クリップ１０１は、加温加湿器２０１と患者に装着される鼻マスク等の患者インターフェースとの間を接続して、呼吸用気体を患者に供給するための医療用チューブ５０を、患者の衣服やシーツ等の比較的薄い被挟着物や、支柱等の被挟着物に固定するために用いられる。
【００２７】
固定クリップ１０１は、弾性材により形成され帯状部材が円弧状に湾曲形成されたチューブ固定部１０と、チューブ固定部１０の両端から延在する一対の保持アーム部２０Ａ，２０Ｂとを備え、図１及び図２に示すように、両保持アーム部２０Ａ，２０Ｂの基端部を交差させずに両保持アーム部２０Ａ，２０Ｂの間を離間させた状態と、図３及び図４に示すように、両保持アーム部２０Ａ，２０Ｂの基端部を交差させて両保持アーム部２０Ａ，２０Ｂの先端部（両挟持部４０Ａ，４０Ｂ）を当接させた状態と、に繰り返し変形可能に設けられている。
【００２８】
チューブ固定部１０は、前述したように、弾性材により形成されており、弾性変形可能に設けられている。なお、本実施形態では、チューブ固定部１０と両保持アーム部２０Ａ，２０Ｂとが、ポリアセタールやポリプロピレン等の合成樹脂により一体に形成されている。
そして、図２及び図４に示されるように、チューブ固定部１０の内周面１０ｉにより形成される内側空間１５に、医療用チューブ５０が挿入可能に設けられている。このチューブ固定部１０の内周面１０ｉには、その長さ方向の中央部１１に、内周面１０ｉから突出し、幅方向に延在する突起部１３が形成されており、チューブ固定部１０の両端部１２Ａ，１２Ｂを外側から内側に押圧した際に、チューブ固定部１０の中央部１１に作用する応力を、中央部１１から両端部１２Ａ，１２Ｂ側に向けて分散できるようになっている。
【００２９】
また、チューブ固定部１０の両端部１２Ａ，１２Ｂの外周面１０ｏには、幅方向に延在する複数の凸条部１４が間隔をあけて形成されることにより凹凸表面が形成されている。そして、この凹凸表面が形成された両端部１２Ａ，１２Ｂを図２に白抜き矢印Ｆで示すように、内側に向けて押圧することにより、チューブ固定部１０を容易に弾性変形させて、図２に二点鎖線で示すように、両端部１２Ａ，１２Ｂを移動して接近させることができるようになっている。一方、両端部１２Ａ，１２Ｂの押圧を解除すると、チューブ固定部１０の弾性復元力が働くことで、両端部１２Ａ，１２Ｂが互いに離間する方向に移動し、両端部１２Ａ，１２Ｂの間は押圧時よりも広がって配置され、両端部１２Ａ，１２Ｂが元の位置まで復帰するようになっている。
【００３０】
チューブ固定部１０の両端から延在する両保持アーム部２０Ａ，２０Ｂは、基端側に形成されたフック部３０Ａ，３０Ｂと、先端側に形成された挟持部４０Ａ，４０Ｂとを有している。
このうち、基端側の両フック部３０Ａ，３０Ｂは、図１及び図２に示されるように、チューブ固定部１０の両端に連続して形成され、チューブ固定部１０とは逆向きに反って円弧状に湾曲し、内側円弧面が互いに外向きに配置された形状とされている。また、各フック部３０Ａ，３０Ｂは互いに離れてチューブ固定部１０の幅方向にずれて、言い換えれば幅方向に離れて形成されており、図２に二点鎖線で示すように、チューブ固定部１０の両端部１２Ａ，１２Ｂを近接させて両保持アーム部２０Ａ，２０Ｂの基端部を交差させたときに容易にすれ違いが可能な形状とされ、両フック部３０Ａ，３０Ｂを大きく干渉させることなく交差できるようになっている。また、両フック部３０Ａ，３０Ｂは、図３及び図４に示されるように、両挟持部４０Ａ，４０Ｂを当接させ、チューブ固定部１０を環状に形成した状態において、両フック部３０Ａ，３０Ｂの内側円弧面が互いに内向きに配置され、両フック部３０Ａ，３０Ｂが幅方向に並んで配置されることにより、両フック部３０Ａ，３０Ｂの内側円弧面（内周面）に囲まれた内側空間３５Ａ，３５Ｂを幅方向に連通させ、これら両フック部３０Ａ，３０Ｂが環状に組み合わされた円環部３６が形成されるようになっている。
【００３１】
また、各フック部３０Ａ，３０Ｂには、両フック部３０Ａ，３０Ｂの外周面から突出し、長さ方向に延在するリブ部３１Ａ，３１Ｂが形成されており、各フック部３０Ａ，３０Ｂは、リブ部３１Ａ，３１Ｂにより補強され、変形し難くなっている。本実施形態の固定クリップ１０１では、両フック部３０Ａ，３０Ｂのリブ部３１Ａ，３１Ｂは、図３及び図４に示すように、チューブ固定部１０の両端部１２Ａ，１２Ｂを近接させ、両フック部３０Ａ，３０Ｂ幅方向に並べて配置させたときに、それぞれ両フック部３０Ａ，３０Ｂの幅方向に対向する側面に連続して形成されている。具体的には、図３及び図４において前側に配置されたフック部３０Ａには、後側の側面の面積を広げるようにしてリブ部３１Ａが形成され、後側に配置されたフック部３０Ｂには、前側の側面の面積を広げるようにしてリブ部３１Ｂが形成されている。
【００３２】
そして、このように形成された両フック部３０Ａ，３０Ｂとチューブ固定部１０の両端部１２Ａ，１２Ｂとの接続部には、フック部３０Ａ，３０Ｂの円弧形状を該円弧の長さ方向に延長するようにして、すなわち、フック部３０Ａ，３０Ｂの内側円弧面を基端側に延長するようにして、フック部３０Ａ，３０Ｂに連続した補助フック部３２Ａ，３２Ｂが形成されている。言い換えると、補助フック部３２Ａ，３２Ｂも円弧状に湾曲しており、フック部３０Ａ．３０Ｂの内側円弧面と、補助フック部３２Ａ，３２Ｂの内側円弧面とは、連続しており、一連の円弧を形成している。
【００３３】
一方、両保持アーム部２０Ａ，２０Ｂの先端側に形成された両挟持部４０Ａ，４０Ｂは、フック部３０Ａ，３０Ｂよりも幅広の形状に形成されるとともに、チューブ固定部１０の両端部１２Ａ，１２Ｂを近接させたときに、各挟持部４０Ａ，４０Ｂの少なくとも一部がチューブ固定部１０の幅方向に重なり合う形状に形成されている。つまり、図２に二点鎖線で示すように、両挟持部４０Ａ，４０Ｂは、チューブ固定部１０の両端部１２Ａ，１２Ｂを近接させ、両保持アーム部２０Ａ，２０Ｂを近接させる方向に移動した際に、互いが干渉する大きさに設けられている。具体的には、図１に示すように、前側のフック部３０Ａに接続された挟持部４０Ａは、その前側のフック部３０Ａよりも幅方向の後側に突出した形状に設けられ、後側のフック部３０Ｂに接続された挟持部４０Ｂは、その後側のフック部３０Ｂよりも幅方向の前側に突出した形状に設けられている。そして、両挟持部４０Ａ，４０Ｂは、図３及び図４に示すように、チューブ固定部１０の両端部１２Ａ，１２Ｂを近接させ、両保持アーム部２０Ａ，２０Ｂの基端部を交差させることで、相互に乗り換えた位置に移動可能に設けられており、両挟持部４０Ａ，４０Ｂが相互に乗り越えた位置に配置された状態では、両挟持部４０Ａ，４０Ｂの挟持面４１Ａ，４１Ｂが互いに対向して配置されるようになっている。
【００３４】
また、図１に示すように、前側の挟持部４０Ａ（挟持面４１Ａ）の背面には、後方に向かうにしたがい後側の挟持部４０Ｂから離れる方向に傾斜するガイド面４２Ａが形成され、このガイド面４２Ａと対称に、後側の挟持部４０Ｂ（挟持面４１Ｂ）の背面にも、前方に向かうにしたがい前側の挟持部４０Ａから離れる方向に傾斜するガイド面４２Ｂが形成されている。これにより、両保持アーム部２０Ａ，２０Ｂの先端側を近接させて、両挟持部４０Ａ，４０Ｂの背面どうしを接触させた際に、両挟持部４０Ａ，４０Ｂが互いのガイド面４２Ａ，４２Ｂに沿って案内され、互いを乗り越えて移動するようになっている。そして、図３及び図４に示すように、両挟持部４０Ａ，４０Ｂが互いを乗り越えた位置では、すなわち、両挟持部４０Ａ，４０Ｂを相互に乗り越えさせた状態のときには、チューブ固定部１０の両端部１２Ａ，１２Ｂの間が狭められることで、チューブ固定部１０の弾性復元力によりチューブ固定部１０の両端部１２Ａ，１２Ｂが互いに離間する方向に付勢され、両挟持部４０Ａ，４０Ｂの挟持面４１Ａ，４１Ｂが互いに当接させられるようになっている。また、このように両挟持部４０Ａ，４０Ｂの挟持面４１Ａ，４１Ｂを互いに当接させた状態では、チューブ固定部１０が環状に形成される。
【００３５】
また、図４に示すように、両挟持部４０Ａ，４０Ｂの挟持面４１Ａ，４１Ｂを互いに当接させた状態で、図５に白抜き矢印Ｆで示すように、チューブ固定部１０の両端部１２Ａ，１２Ｂをさらに内側に押圧して接近させると、両挟持部４０Ａ，４０Ｂの挟持面４１Ａ，４１Ｂを対向させた状態で離間させることができる。そして、チューブ固定部１０の両端部１２Ａ，１２Ｂの押圧を解除すると、チューブ固定部１０の両端部１２Ａ，１２Ｂ間が弾性復元力により広がり、両挟持部４０Ａ，４０Ｂは、その挟持面４１Ａ，４１Ｂが当接するまで移動する。このように、固定クリップ１０１は、チューブ固定部１０の両端部１２Ａ，１２Ｂの移動に伴って、両挟持部４０Ａ，４０Ｂの間を開閉することができるようになっている。
【００３６】
なお、両挟持部４０Ａ，４０Ｂの挟持面４１Ａ，４１Ｂには、それぞれ複数の爪部４３が形成されており、被挟着物に爪部４３をくい込ませることで、被挟着物が滑るのを防止でき、被挟着物を両挟持部４０Ａ，４０Ｂの間で強固に挟持できるようになっている。
【００３７】
次に、このように構成された固定クリップ１０１を用いて医療用チューブ５０を被挟着物に固定する方法について説明する。
まず、図１及び図２に示すように、固定クリップ１０１の両保持アーム部２０Ａ，２０Ｂの間を開いた状態にする。このように、両保持アーム部２０Ａ，２０Ｂの基端部を交差させずに、両挟持部４０Ａ，４０Ｂを離間させた状態とし、両保持アーム部２０Ａ，２０Ｂの間を開いた状態では、両フック部３０Ａ，３０Ｂの間が離間して配置されるとともに、両フック部３０Ａ，３０Ｂの内側円弧面が互いに外向きに配置され、チューブ固定部１０の内側空間１５が開放された状態となる。このとき、チューブ固定部１０の両端部１２Ａ，１２Ｂの間も大きく開いているので、図２に示すように、チューブ固定部１０の内側空間１５に医療用チューブ５０を容易に挿通させることができる。
【００３８】
なお、固定クリップ１０１と医療用チューブ５０とは、固定クリップ１０１の内側空間１５に医療用チューブ５０の一端部を通して、医療用チューブ５０の所定位置まで固定クリップ１０１を移動させることにより、医療用チューブ５０の長さ方向の途中位置に配置することもできるし、図６に示すように、両保持アーム部２０Ａ，２０Ｂの間から、チューブ固定部１０の内側空間１５に医療用チューブ５０を挿通させることもできる。この場合、両保持アーム部２０Ａ，２０Ｂの間を押し広げることで、チューブ固定部１０の両端部１２Ａ，１２Ｂの間をさらに大きく開くことができるので、医療用チューブ５０を内側空間１５に容易に挿入できる。
【００３９】
そして、チューブ固定部１０の内側空間１５に医療用チューブ５０を挿通させた状態で、医療用チューブ５０の長さ方向の任意の位置において、両保持アーム部２０Ａ，２０Ｂを交差させ、図３及び図４に示すように、両挟持部４０Ａ，４０Ｂを相互に乗り越えさせることで、両挟持部４０Ａ，４０Ｂの挟持面４１Ａ，４１Ｂを互いに当接させる。この際、両保持アーム部２０Ａ，２０Ｂの両フック部３０Ａ，３０Ｂには、幅方向に対向する側面に連続してリブ部３１Ａ，３１Ｂが形成されているので、両保持アーム部２０Ａ，２０Ｂが捩じれる方向に力が加わった場合にも、両フック部３０Ａ，３０Ｂが互いの対向面やリブ部３１Ａ，３１Ｂに接触することで、両フック部３０Ａ，３０Ｂを超えて捩じれることが防止され、両保持アーム部２０Ａ，２０Ｂの移動を円滑に案内できる。
【００４０】
そして、両挟持部４０Ａ，４０Ｂを相互に乗り越えさせた位置では、チューブ固定部１０の弾性復元力によりチューブ固定部１０の両端部１２Ａ，１２Ｂが互いに離間する方向に付勢されて両挟持部４０Ａ，４０Ｂが互いに押し付けられ、両挟持面４１Ａ，４１Ｂが当接させられる。これにより、両挟持部４０Ａ，４０Ｂが閉じられた状態が維持され、チューブ固定部１０が円環状に形成される。また、チューブ固定部１０の内側空間１５が縮径された状態となるので、チューブ固定部１０の内側空間１５に医療用チューブ５０の外周面を係合でき、図７に示すように、固定クリップ１０１を医療用チューブ５０の任意の位置に固定できる。
【００４１】
また、チューブ固定部１０には、長さ方向の中央部に突起部１３が設けられているので、図６及び図７に示すように、医療用チューブ５０が蛇管で構成される場合には、突起部１３の端面を蛇管表面の凹凸形状に引っ掛けて固定することができる。この場合、医療用チューブ５０の外周面とチューブ固定部１０の内周面１０ｉとの係合が緩い場合でも、突起部１３により医療用チューブ５０と固定クリップ１０１との固定位置がずれることを防止でき、医療用チューブ５０を被挟着物の任意の位置に安定して固定できる。
【００４２】
次に、図７に示すように、固定クリップ１０１を医療用チューブ５０に固定した状態において、図５に白抜き矢印Ｆで示すように、チューブ固定部１０の両端部１２Ａ，１２Ｂをさらに内側に押圧して近接させることにより、両保持アーム部２０Ａ，２０Ｂの両挟持部４０Ａ，４０Ｂを離間させて開いた状態にする。この際、両保持アーム部２０Ａ，２０Ｂの両フック部３０Ａ，３０Ｂには、幅方向に対向する側面に連続してリブ部３１Ａ，３１Ｂが形成されているので、両フック部３０Ａ，３０Ｂが互いの対向面やリブ部３１Ａ，３１Ｂに接触して捩じれることが防止され、両挟持部４０Ａ，４０Ｂの挟持面４１Ａ，４１Ｂを対向させた状態を維持して離間させることができる。そして、この両挟持面４１Ａ，４１Ｂの間に、患者の衣服やシーツ等の被挟着物を配置する。
【００４３】
両挟持部４０Ａ，４０Ｂの間に被挟着物を配置した後で、チューブ固定部１０の両端部１２Ａ，１２Ｂの押圧を解除すると、チューブ固定部１０の両端部１２Ａ，１２Ｂ間が弾性復元力により離間し（広がり）、両挟持部４０Ａ，４０Ｂが近接する方向に移動するので、図８に示すように、両挟持部４０Ａ，４０Ｂの間に被挟着物３０１を挟むことができる。なお、この際にも、両フック部３０Ａ，３０Ｂが互いの対向面やリブ部３１Ａ，３１Ｂに接触することで両保持アーム部２０Ａ，２０Ｂの移動が円滑に案内される。
このように、固定クリップ１０１は、チューブ固定部１０の両端部１２Ａ，１２Ｂの移動に伴って両挟持部４０Ａ，４０Ｂの間を開閉することができ、両挟持部４０Ａ，４０Ｂの開閉により、被挟着物３０１と固定クリップ１０１との着脱を容易に行うことができる。
【００４４】
また前述したように、固定クリップ１０１は、図８に示されるような比較的薄い被挟着物３０１だけでなく、図９に示すように、医療機器等に備え付けられた支柱等の被挟着物３０２にも容易に固定できる。
図７に示すように、固定クリップ１０１を医療用チューブ５０に固定した状態においては、両フック部３０Ａ，３０Ｂの内側円弧面が互いに内向きに配置され、両フック部３０Ａ，３０Ｂが幅方向に並んで配置されることにより、両フック部３０Ａ，３０Ｂが環状に組み合わされた円環部３６が形成され、両フック部３０Ａ，３０Ｂの内側空間３５Ａ，３５Ｂが幅方向に挿通させられた状態が維持されている。そして、この円環部３６（内側空間３５Ａ，３５Ｂ）に、例えば図１０に示す加温加湿器２０１の支柱のように、医療機器等に備え付けられた支柱等の被挟着物３０２を挿通させることで、両フック部３０Ａ，３０Ｂの内側空間３５Ａ，３５Ｂに容易に被挟着物３０２を挿通させることができる。この際、両フック部３０Ａ，３０Ｂは、両挟持部４０Ａ，４０Ｂと同様に、チューブ固定部１０の弾性復元力により互いに離間する方向に付勢されているので、両フック部３０Ａ，３０Ｂにより被挟着物３０２を挟持して固定クリップ１０１を固定でき、医療用チューブ５０を安定して固定できる。
【００４５】
また、固定クリップ１０１には、フック部３０Ａ，３０Ｂに連続した補助フック部３２Ａ，３２Ｂが形成されているので、両フック部３０Ａ，３０Ｂの内側空間３５Ａ，３５Ｂを幅方向に並べて連通させた状態において、一方のフック部３０Ａに他方の補助フック部３２Ｂを幅方向に並べて配置できるとともに、他方のフック部３０Ｂに一方の補助フック部３２Ａを幅方向に並べて配置でき、両フック部３０Ａ，３０Ｂの内側空間３５Ａ，３５Ｂに被挟着物３０２を挿通した際の係止幅を広く形成できる。したがって、被挟着物３０２に対して固定クリップ１０１を安定して固定でき、固定クリップ１０１が不用意に回転することを防止できる。
【００４６】
このように、本実施形態の固定クリップ１０１は、両保持アーム部２０Ａ，２０Ｂの両挟持部４０Ａ，４０Ｂの間と、両フック部３０Ａ，３０Ｂの間と、の双方において被挟着物を挟持することができるので、図８に示すように患者の衣服やシーツ等の厚みが比較的薄い被挟着物３０１だけでなく、図９に示すように医療機器等に備え付けられた支柱等の被挟着物３０２にも安定して固定できる。このため、固定クリップ１０１の固定箇所が限定されず、作業者は固定箇所毎に種類の異なる固定クリップを使い分ける必要がない。また、図７に示すように、被挟着物と固定クリップ１０１との固定前に、予め固定クリップ１０１を医療用チューブ５０の任意の位置に固定しておくことができるので、固定クリップ１０１と医療用チューブ５０とを一体にして取り扱うことができ、作業者は容易に被挟着物への取り付け作業を行うことができる。
【００４７】
また、固定クリップ１０１には、チューブ固定部１０の長さ方向の中央部に突起部１３が形成されているので、チューブ固定部１０の両端部１２Ａ，１２Ｂを押圧した際に、チューブ固定部１０の中央部に作用する応力を、中央部から両端部１２Ａ，１２Ｂ側に向けて分散させることができる。これにより、チューブ固定部１０の破損を防止でき、固定クリップ１０１を繰り返し、安定して使用できる。
【００４８】
なお、衛生面の観点から、医療用チューブ５０は定期的に洗浄や交換をする必要があるが、固定クリップ１０１は医療用チューブ５０の外周面を把持するものであり、呼吸用気体が接触することがない。そして、本実施形態の固定クリップ１０１は、接着等の繰り返し使用ができない手段とは異なり、チューブ固定部１０の弾性復元力を利用して医療用チューブ５０に着脱可能に設けられている。このため、医療用チューブ５０と固定クリップ１０１との着脱を容易に行うことができ、医療用チューブ５０を交換することにより、同じ固定クリップ１０１を繰り返し使用できる。なお、固定クリップ１０１は、ポリアセタールやポリプロピレン等の合成樹脂により一体に形成されているため安価に製造可能であり、医療用チューブとともに使い捨てとすることもできる。
【００４９】
なお、本実施形態の固定クリップ１０１においては、チューブ固定部１０の両端部１２Ａ，１２Ｂの外周面１０ｏに、凸条部１４により凹凸表面を形成したので、押圧時にチューブ固定部１０の両端部１２Ａ，１２Ｂを把持する指との間の摩擦抵抗を増大させることができる。これにより、指を滑らせることなく、チューブ固定部１０の両端部１２Ａ，１２Ｂを互いに近接する方向に容易に押圧することが可能となり、両挟持部４０Ａ，４０Ｂの間の開閉を容易に行うことができる。
【００５０】
なお、本発明は上記実施形態に限定されるものではなく、本発明の趣旨を逸脱しない範囲において種々の変更を加えることが可能である。
【符号の説明】
【００５１】
１０  チューブ固定部
１３  突起部
１４  凸条部
１５  内側空間
２０Ａ，２０Ｂ  保持アーム部
３０Ａ，３０Ｂ  フック部
３１Ａ，３１Ｂ  リブ部
３２Ａ，３２Ｂ  補助フック部
３５Ａ，３５Ｂ  内側空間
３６  円環部
４０Ａ，４０Ｂ  挟持部
４１Ａ，４１Ｂ  挟持面
４２Ａ，４２Ｂ  ガイド面
４３  爪部
５０  医療用チューブ
１０１  固定クリップ（医療用チューブの固定クリップ）
２０１  加温加湿器
３０１，３０２  被挟着物
【図１】
2018047126.tif 000003
【図２】
2018047126.tif 000004
【図３】
2018047126.tif 000005
【図４】
2018047126.tif 000006
【図５】
2018047126.tif 000007
【図６】
2018047126.tif 000008
【図７】
2018047126.tif 000009
【図８】
2018047126.tif 000010
【図９】
2018047126.tif 000011
【図１０】
2018047126.tif 000012